(57)【要約】【課題】  テンプルやフロント枠などの構成部材を必要としなくとも、簡単に組み立てるだけで確実に頭部に固定することができ、かつ、携帯に便利であり、しかも、良好な装用感をも備えたロールテープ型の携帯サングラスを提供すること。【解決手段】  ロール板体１の截断溝11をカットすることにより外側に残される辺片に形成される可動帯域12の各基端部12ａ・12ａを支点として、それぞれ斜め後方に折曲げ返してループバンドＬを形成して、このループバンドＬが着用者の後頭部にフィットして後鉢巻き可能であるとともに、前記ロール板体１の少なくとも中央側を通るように、前記截断溝11に並行的に沿ってセンター溝13をカットすることにより前記截断溝11側に残される辺片に形成される当て片14の各基端部14ａ・14ａをカール癖の弧内側に段型に折曲げ返してスペーサーＳを形成して、このスペーサーＳを着用者の額面に当接可能にするという技術的手段を採用した。【選択図】  図２
2006178035.tif 000002
【特許請求の範囲】
【請求項１】
プラスチック材料を長手ベルト形状にして、かつ、円筒形状を形成するごとくカール癖が付与される可撓性のロール板体１から成るサングラスであって、
このロール板体１の一方の長手側辺近傍に沿って截断溝11が切り抜かれており、この截断溝11をカットすることにより外側に残される辺片に可動帯域12が形成される一方、この可動帯域12の各基端部12ａ・12ａを支点として、それぞれ斜め後方に折曲げ返してループバンドＬを形成して、このループバンドＬが着用者の後頭部にフィットして後鉢巻き可能であるとともに、
前記ロール板体１の少なくとも中央側を通るように、前記截断溝11に並行的に沿ってセンター溝13が切り抜かれており、このセンター溝13をカットすることにより前記截断溝11側に残される辺片に当て片14が形成される一方、この当て片14の各基端部14ａ・14ａをカール癖の弧内側に段型に折曲げ返してスペーサーＳを形成して、このスペーサーＳが着用者の額面に当接可能にしたことを特徴とするロールテープ型の携帯サングラス。
【請求項２】
ロール板体１の截断溝11にはミシン目が形成されており、着用者の頭部サイズに適合する基端部12ａ位置までカットできるように構成したことを特徴とする請求項１記載のロールテープ型の携帯サングラス。
【請求項３】
ロール板体１のセンター溝13が左右対称であって、かつ、截断溝11の全長の半分以下であることを特徴とする請求項１または２記載のロールテープ型の携帯サングラス。
【請求項４】
ロール板体１をカール癖の弧内側に巻き畳んで、中空筒形の収容ケース２に収容可能にしたことを特徴とする請求項１〜３の何れか一つに記載のロールテープ型の携帯サングラス。
【請求項５】
ロール板体１が生分解性樹脂組成物から成るプラスチック材料であることを特徴とする請求項１〜４の何れか一つに記載のロールテープ型の携帯サングラス。
【請求項６】
生分解性樹脂組成物がヒドロキシカルボン酸とポリエステルとを主成分とすることを特徴とする請求項５に記載のロールテープ型の携帯サングラス。
【請求項７】
ヒドロキシカルボン酸が乳酸であることを特徴とする請求項６に記載のロールテープ型の携帯サングラス。
【発明の詳細な説明】
【技術分野】
【０００１】
本発明は、サングラスの改良、更に詳しくは、テンプルやフロント枠などの構成部材を必要としなくとも、簡単に組み立てるだけで確実に頭部に固定することができ、かつ、携帯に便利であり、しかも、良好な装用感をも備えたロールテープ型の携帯サングラスに関するものである。
【背景技術】
【０００２】
周知のとおり、サングラスは眩輝防止のために使用されるグッズであり、例えば、デーゲームなどの日中のスポーツ観戦などにおいても、良好な視界を得ることができ、非常に重宝である。
【０００３】
ところで、最近では、需要の多様化により様々な形態のサングラスが開発されており、例えば、テンプルやフレーム枠を構成部材としない可撓性のプラスチック材料をロール式に構成したサングラスが開示されている（例えば、特許文献１〜４参照）。
【０００４】
しかしながら、かかるロール式のサングラスにあっては、確かに、従前の耳掛けテンプルの煩わしさを解消しつつ、眼前にレンズを配置できるけれども、頭部への固定が不十分であり、特に野外での使用が多いサングラスであるゆえ、一寸した風でも外れてしまうのは甚だ使い勝手が悪い。
【０００５】
また、これらのサングラスは、レンズ部材に付与されたカール癖が顔面にカーブに沿わんとするために、眉毛やまつ毛などにレンズが接触してしまい、大変煩わしく、装着に不快感を催すおそれがある。
【特許文献１】実開平１−８８９２３号公報（第１頁、第１−３図）
【特許文献２】実開平１−１１７６１７号公報（第１頁、第１−３図）
【特許文献３】実開昭６４−４３３２９号公報（第１頁、第１−４図）
【特許文献４】実開昭５６−１５３９１８号公報（第１−２頁、第１−５図）
【発明の開示】
【発明が解決しようとする課題】
【０００６】
本発明は、従来のロール式のサングラスに、上記のような問題があったことに鑑みて為されたものであり、その目的とするところは、テンプルやフロント枠などの構成部材を必要としなくとも、簡単に組み立てるだけで確実に頭部に固定することができ、かつ、携帯に便利であり、しかも、良好な装用感をも備えたロールテープ型の携帯サングラスを提供することにある。
【課題を解決するための手段】
【０００７】
本発明者が上記課題を解決するために採用した手段を添付図面を参照して説明すれば次のとおりである。
【０００８】
即ち、本発明は、プラスチック材料を長手ベルト形状にして、かつ、円筒形状を形成するごとくカール癖が付与される可撓性のロール板体１から成るサングラスであって、
このロール板体１の一方の長手側辺近傍に沿って截断溝11が切り抜かれており、この截断溝11をカットすることにより外側に残される辺片に可動帯域12が形成される一方、この可動帯域12の各基端部12ａ・12ａを支点として、それぞれ斜め後方に折曲げ返してループバンドＬを形成して、このループバンドＬが着用者の後頭部にフィットして後鉢巻き可能であるとともに、
前記ロール板体１の少なくとも中央側を通るように、前記截断溝11に並行的に沿ってセンター溝13が切り抜かれており、このセンター溝13をカットすることにより前記截断溝11側に残される辺片に当て片14が形成される一方、この当て片14の各基端部14ａ・14ａをカール癖の弧内側に段型に折曲げ返してスペーサーＳを形成して、このスペーサーＳを着用者の額面に当接可能にするという技術的手段を採用した。
【０００９】
また、本発明は、上記課題を解決するために、必要に応じて上記手段に加え、ロール板体１の截断溝11にはミシン目を形成し、着用者の頭部サイズに適合する基端部12ａ位置までカットできるように構成するという技術的手段を採用した。
【００１０】
更にまた、本発明は、上記課題を解決するために、必要に応じて上記手段に加え、ロール板体１のセンター溝13を左右対称であって、かつ、截断溝11の全長の半分以下にするという技術的手段を採用した。
【００１１】
更にまた、本発明は、上記課題を解決するために、必要に応じて上記手段に加え、ロール板体１をカール癖の弧内側に巻き畳んで、中空筒形の収容ケース２に収容可能にするという技術的手段を採用した。
【００１２】
更にまた、本発明は、上記課題を解決するために、必要に応じて上記手段に加え、ロール板体１を生分解性樹脂組成物から成るプラスチック材料にすることができ、更に、この生分解性樹脂組成物をヒドロキシカルボン酸とポリエステルとを主成分とし、更に、このヒドロキシカルボン酸を乳酸にするという技術的手段を採用することができる。
【発明の効果】
【００１３】
本発明の携帯サングラスにあっては、ロール板体に形成した可動帯域の各基端部をそれぞれ斜め後方に折曲げ返して形成したループバンドが着用者の後頭部にフィットして後鉢巻き可能にするとともに、当て片の各基端部をカール癖の弧内側に段型に折曲げ返して形成したスペーサーを着用者の額面に当接可能にしたことによって、テンプルやフロント枠などの構成部材を必要としなくとも、簡単に組み立てるだけで確実に頭部に固定することができ、しかも、良好な装用感をも備えている。
【００１４】
また、必要に応じて、本発明品を生分解性のプラスチック材料により作製することができ、環境にも配慮することができる。
【００１５】
更にまた、既着の眼鏡を着用した状態であっても、その上からでも干渉することなく着用することができ、非常に使い勝手が良い。更にまた、本発明品は簡単に折り畳むことができるので、嵩張らず携帯にも非常に便利であるとともに、スポーツ競技などの入場チケットとして利用したり、広告宣伝用のノベルティ商品としても使用したりすることもできることから、実用的利用価値は頗る高いと云える。
【発明を実施するための最良の形態】
【００１６】
本発明の実施形態を具体的に図示した図面に基づいて更に詳細に説明すると、次のとおりである。
【００１７】
本発明の実施形態を図１から図４に基づいて説明する。図中、符号１で指示するものはロール板体であり、このロール板体１は、プラスチック材料を長手ベルト形状に形成して、かつ、円筒形状を形成するごとくカール癖を付与し、更に、可撓性を有する。
【００１８】
なお、本実施形態において、このロール板体１にサングラス機能としてのレンズ遮光機能を付与するためには、プラスチック材料に少なくとも顔料やＵＶカットのための紫外線吸収剤、フォトクロミック材料などの遮光材を混練させたり、あるいは、レンズ表面に遮光フィルムを貼設したりすることによって構成することができる。
【００１９】
しかして、本実施形態におけるロールサングラスを構成するにあたり、前記ロール板体１について詳述すると、まず、このロール板体１の一方の長手側辺近傍に沿って截断溝11を切り抜いて、この截断溝11をカットすることにより外側に残される辺片に可動帯域12を形成する。
【００２０】
そして、この可動帯域12の各基端部12ａ・12ａを支点として、それぞれ斜め後方に折曲げ返してループバンドＬを形成して、このループバンドＬが着用者の後頭部にフィットして後鉢巻きできる。
【００２１】
この際、ロール板体１の截断溝11にはミシン目を形成して、着用者の頭部サイズに適合する基端部12ａ位置までカットできるように構成することができ、本実施形態では、基端部の折曲げ位置を３箇所に設ける。また、エッジ部分での負傷を防止するために端面を熱加工処理をしておくことが好ましい。
【００２２】
また、前記ロール板体１の少なくとも中央側を通るように、前記截断溝11に並行的に沿ってセンター溝13を切り抜いて、このセンター溝13をカットすることにより前記截断溝11側に残される辺片に当て片14を形成する。
【００２３】
そして、この当て片14の各基端部14ａ・14ａをカール癖の弧内側に段型（本実施形態では、２段の山折り谷折り階段状）に折曲げ返してスペーサーＳを形成して、このスペーサーＳを着用者の額面に当接可能にした。本実施形態では、スペーサーＳとして十分な強度を出すために、ロール板体１のセンター溝13を左右対称にして、かつ、截断溝11の全長の半分以下にする。
【００２４】
以上のように構成した本実施形態における組立式のサングラスは、可撓性を有するために顔面のカーブに沿ってレンズを確実に眼前に配設することができ、かつ、着用者の頭部に良好にフィットするとともに、スペーサーによりレンズが眉毛やまつ毛に接触することもないので、非常に優れた装着感を得ることができる（図３参照）。
【００２５】
また、図示しないが、本実施形態品は、既着の眼鏡を着用した状態であっても、その上からでも干渉することなく着用することができ、非常に使い勝手が良い。
【００２６】
なお、図４に示すように、ロール板体１をカール癖の弧内側に巻き畳んで中空筒形の収容ケース２に収容可能にすることも可能であり、不使用時にもコンパクトで携帯に非常に便利である。
【００２７】
また、本実施形態にあっては、ロール板体１を生分解性樹脂組成物から成るプラスチック材料で作製することによって、廃棄処理の際にも有害化合物を発生せず環境を汚染することがない。この際、生分解性樹脂組成物は、ヒドロキシカルボン酸（特に、乳酸など）とポリエステルとを主成分とすることができる。
【００２８】
本発明は、概ね上記のように構成されるが、本発明は図示の実施形態に限定されるものでは決してなく、「特許請求の範囲」の記載内において種々の変更が可能であって、例えば、ロール板体１の可動帯域12の各基端部12ａ・12ａの配設位置を変更することは当然に為し得るし、また、本発明品を、スポーツ競技などの入場チケットとして利用したり、広告宣伝用のノベルティ商品としても使用したりすることもでき、何れのものも本発明の技術的範囲に属する。
【図面の簡単な説明】
【００２９】
【図１】本発明の実施形態品を表わす全体正面図である。
【図２】本発明の実施形態品を組み立てた状態を表わす全体斜視図である。
【図３】本発明の実施形態品の使用状態を表わす全体斜視図である。
【図４】本発明の実施形態品を収納する状態を表わす全体斜視図である。
【符号の説明】
【００３０】
１    ロール板体
11    截断溝
12    可動帯域
12ａ  基端部
13    センター溝
14    当て片
14ａ  基端部
２    収容ケース
Ｌ    ループバンド
Ｓ    スペーサー
【図１】
2006178035.tif 000003
【図２】
2006178035.tif 000004
【図３】
2006178035.tif 000005
【図４】
2006178035.tif 000006